(57)【特許請求の範囲】
【請求項１】
光を発する光源部と、
断面の概形となる円の半径がＲであって、前記光源部が端部近傍に配置される透明な棒状の導光体と、
前記導光体の長手方向に延びて設けられており、前記導光体の内部を伝搬する光を拡散して反射させる第１の拡散反射部と、
前記第１の拡散反射部の反射方向にある前記導光体の外面で前記長手方向に延びる部分であって、前記第１の拡散反射部により反射された光を主光として出射させる第１の出射部と、
前記導光体の前記長手方向に延びて設けられており、前記導光体の内部を伝搬する光を拡散して反射させる第２の拡散反射部と、
前記第２の拡散反射部の反射方向にある前記導光体の外面で前記長手方向に延びる部分であって、前記第２の拡散反射部により反射された光を副光として出射させる第２の出射部と、
所定の領域において前記主光と重なり合う方向へ前記副光を反射する平面鏡とを備え、
前記第２の出射部は、前記長手方向から見た形状が１／Ｒの曲率の曲線であり、
前記第１の出射部は、平面又は前記長手方向から見て前記第２の出射部の曲率である１／Ｒの曲率より小さい曲率で定義された凸形状の曲面であり、
前記主光は前記副光よりも広い発散角を有する照射装置。
【請求項２】
光を発する光源部と、
前記光源部が端部近傍に配置される透明な棒状の導光体と、
前記導光体の長手方向に延びて設けられており、前記導光体の内部を伝搬する光を拡散して反射させる第１の拡散反射部と、
前記第１の拡散反射部の反射方向にある前記導光体の外面で前記長手方向に延びる部分であって、前記第１の拡散反射部により反射された光を主光として出射させる第１の出射部と、
前記導光体の前記長手方向に延びて設けられており、前記導光体の内部を伝搬する光を拡散して反射させる第２の拡散反射部と、
前記第２の拡散反射部の反射方向にある前記導光体の外面で前記長手方向に延びる部分であって、前記第２の拡散反射部により反射された光を副光として出射させる第２の出射部と、
所定の領域において前記主光と重なり合う方向へ前記副光を反射する平面鏡と、
前記導光体の外面の前記第１の出射部とは異なる部分に設けられており、前記長手方向に延びる平面を有する切欠部と、
前記光源部と前記導光体とを保持するホルダとを備え、
前記第２の出射部は、前記長手方向から見た形状が曲線であり、
前記第１の出射部は、平面又は前記長手方向から見て前記第２の出射部より小さい曲率の曲線をなす部分を少なくとも一部に含み、
前記主光は前記副光よりも広い発散角を有し、
前記ホルダは、
前記光源部が取り付けられる光源取付部と、
前記光源部が発する光が通過する光源空間と連通し、前記導光体の端部が前記長手方向に挿入される孔を形成し、それによって前記導光体の端部と嵌合する嵌合部と、
前記嵌合部に形成される面であって、前記第１の出射部が当接する第１の当接部と、
前記嵌合部に形成される平面であって、前記切欠部が当接する第２の当接部と、
前記導光体の端部が前記嵌合部に嵌合している場合に、前記第１の出射部を前記第１の当接部へ押圧するとともに前記切欠部を前記第２の当接部へ押圧する方向へ前記導光体の端部を付勢する付勢部とを備える
ことを特徴とする照射装置。
【請求項３】
前記切欠部は、前記嵌合部に嵌合する前記導光体の前記長手方向の長さに応じた長さで前記長手方向に延びる平面を有し、
前記導光体は、さらに、前記切欠部の近傍であって、前記長手方向に前記切欠部よりも前記導光体の中心側に射出成型用のゲートが設けられている
ことを特徴とする請求項２に記載の照射装置。
【請求項４】
前記第１の拡散反射部と前記第２の拡散反射部との一方又は両方は、前記導光体の前記長手方向に延びる領域に設けられたプリズム群を有する
ことを特徴とする請求項１から３のいずれか１項に記載の照射装置。
【請求項５】
前記第１の拡散反射部と前記第２の拡散反射部との両方が前記プリズム群を備え、
前記第２の拡散反射部が備えるプリズム群に含まれるプリズムの数は、前記第１の拡散反射部が備えるプリズム群に含まれるプリズムの数よりも多い
ことを特徴とする請求項４に記載の照射装置。
【請求項６】
前記プリズム群を備える前記第１の拡散反射部と前記第２の拡散反射部との一方又は両方は、さらに、前記プリズム群を覆う反射部を備える
ことを特徴とする請求項４又は５に記載の照射装置。
【請求項７】
前記第１の拡散反射部と前記第２の拡散反射部との両方が前記反射部を備え、
前記反射部は一体で前記プリズム群の両方を覆う
請求項６に記載の照射装置。
【請求項８】
前記プリズム群を備える前記第１の拡散反射部と前記第２の拡散反射部との一方又は両方は、さらに、前記プリズム群の外面に反射散乱物質を含む反射散乱物質層を備える
ことを特徴とする請求項４から７のいずれか１項に記載の照射装置。
【請求項９】
前記第１の拡散反射部と前記第２の拡散反射部との両方が前記反射散乱物質層を備え、
前記第２の拡散反射部が備える反射散乱物質層に含まれる反射散乱物質の量は、前記第１の拡散反射部が備える反射散乱物質層に含まれる反射散乱物質の量よりも多い
ことを特徴とする請求項８に記載の照射装置。
【請求項１０】
前記第１の拡散反射部と前記第２の拡散反射部とは、前記導光体の外面の前記長手方向に延びる領域に設けられた反射散乱物質を含む反射散乱物質層である
ことを特徴とする請求項１から３のいずれか１項に記載の照射装置。
【請求項１１】
前記第２の拡散反射部を形成する反射散乱物質の量は、前記第１の拡散反射部を形成する反射散乱物質の量よりも多い
ことを特徴とする請求項１０に記載の照射装置。
【請求項１２】
請求項１から１１のいずれか１項に記載の照射装置と、
前記照射装置から照射された光が対象物で反射した光を受けて画像データを出力する読取装置とを備える
ことを特徴とする画像読取装置。
【発明の詳細な説明】
【技術分野】
【０００１】
本発明は、照射装置及び画像読取装置に関する。
【背景技術】
【０００２】
画像読取装置は、照射装置が原稿に光を照射し、その照射光が原稿で反射した光を受けて原稿に表された情報を含む画像データを生成する。照射光の光源には、キセノンランプやハロゲンランプが多く用いられてきたが、近年では省電力化の流れに沿って、発光ダイオード（ＬＥＤ；Ｌｉｇｈｔ  Ｅｍｉｔｔｉｎｇ  Ｄｉｏｄｅ）へ置き換えられつつある（例えば、特許文献１，２参照）。
【０００３】
一般に原稿の折り目やしわ、書籍を原稿とする場合のページの開き目の近傍などは、画像読取装置により生成された画像データが示す画像において影になって表れることがある。特許文献１に記載されたイメージセンサや、特許文献２に記載された２分岐線状光源装置は、このような影の発生を抑えるために、複数の方向から原稿に照明光を照射する。
【０００４】
特許文献１に記載のイメージセンサは、端部に配置されたＬＥＤからの光を伝搬する棒状の導光体を備える。導光体は、伝搬する光を散乱反射する第１及び第２光散乱層と、第１光散乱層で散乱反射された光を出射させる第１出射部と、第２光散乱層で散乱反射された光を出射させる第２出射部とを有する。第１出射部から出射された光（主光）は、原稿の照射部を斜め方向から直接照射する。第２出射部から出射された光（副光）は、反射体で反射されて、原稿の照射部に対して斜め方向から照射する。副光は、原稿の照射部から反射された光を収束するレンズ体に対して主光とは反対側から原稿の照射部を照射する。
【０００５】
特許文献１に記載のイメージセンサでは、主光と副光との光量のバランスをとることで折り目やしわにより影が生じることを少なくするため、第２光散乱層は第１光散乱層よりも幅広とされる。
【０００６】
特許文献２に記載の２分岐線状光源装置では、導光体の長手方向から見た反射鏡（反射体）の断面形状が楕円状や放物線状に形成される。これによって、反射鏡で反射して原稿読取面を照射する光（副光）の広がり幅が直接原稿読取面を照射する光（主光）のそれと同程度となる。
【先行技術文献】
【特許文献】
【０００７】
【特許文献１】特開２００８−２１９２４４号公報
【特許文献２】特開２００８−２１６４０９号公報
【発明の概要】
【発明が解決しようとする課題】
【０００８】
しかしながら、特許文献１に記載のイメージセンサでは、原稿の照射部における原稿搬送方向の主光と副光とのそれぞれの広がり幅が異なり、主光と副光とはいずれも原稿の照射部に対して斜め方向から照射する。このような場合、原稿が上述のレンズ体の光軸方向へイメージセンサからの距離が変化すると、その距離に応じて原稿の照射部における照度が変化することがある。そのため、書籍のページの開き目の近傍などで原稿をイメージセンサから所定の距離で配置できない部分は、生成された画像データが示す画像において濃淡が変化することがある。
【０００９】
引用文献２に記載の２分岐線状光源装置では、楕円状や放物線状の断面形状を有する反射鏡が採用される。このような反射鏡は２分岐線状光源装置において高精度で位置決めされる必要があり、２分岐線状光源装置を組み立てることは容易ではない。
【００１０】
本発明は、上述の事情を鑑みてなされたもので、照明深度を深くし、かつ、容易に組み立てることが可能な照射装置などを提供することを目的とする。
【課題を解決するための手段】
【００１１】
上記目的を達成するため、本発明に係る照射装置は、
光を発する光源部と、
断面の概形となる円の半径がＲであって、前記光源部が端部近傍に配置される透明な棒状の導光体と、
前記導光体の長手方向に延びて設けられており、前記導光体の内部を伝搬する光を拡散して反射させる第１の拡散反射部と、
前記第１の拡散反射部の反射方向にある前記導光体の外面で前記長手方向に延びる部分であって、前記第１の拡散反射部により反射された光を主光として出射させる第１の出射部と、
前記導光体の前記長手方向に延びて設けられており、前記導光体の内部を伝搬する光を拡散して反射させる第２の拡散反射部と、
前記第２の拡散反射部の反射方向にある前記導光体の外面で前記長手方向に延びる部分であって、前記第２の拡散反射部により反射された光を副光として出射させる第２の出射部と、
所定の領域において前記主光と重なり合う方向へ前記副光を反射する平面鏡とを備え、
前記第２の出射部は、前記長手方向から見た形状が１／Ｒの曲率の曲線であり、
前記第１の出射部は、平面又は前記長手方向から見て前記第２の出射部の曲率である１／Ｒの曲率より小さい曲率で定義された凸形状の曲面であり、
前記主光は前記副光よりも広い発散角を有する。
【発明の効果】
【００１２】
本発明によれば、第１の出射部が第２の出射部より小さい曲率の曲面又は平面を有するため、主光は副光よりも広い発散角を有する。これによって、照明深度を深くすることが可能になる。また、副光を反射する鏡は平面鏡であるため、容易に組み立てることが可能になる。
【図面の簡単な説明】
【００１３】
【図１】実施の形態１に係る画像読取装置の構成を示す分解斜視図である。
【図２】実施の形態１に係る照射装置を長手方向から見た断面図である。
【図３】図２のＩ−Ｉ線における断面図である。
【図４】図３の破線丸囲みの領域を拡大して示す図である。
【図５】図２のII−II線における断面図である。
【図６Ａ】本実施の形態に係る照射装置により照射した場合のコンタクトガラスの上面でのＸ方向の照度分布を示す図である。
【図６Ｂ】本実施の形態に係る照射装置により照射した場合のコンタクトガラスの上方５ｍｍでのＸ方向の照度分布を示す図である。
【図６Ｃ】本実施の形態に係る照射装置により照射した場合のコンタクトガラスの上方１０ｍｍでのＸ方向の照度分布を示す図である。
【図７Ａ】比較のための照射装置により照射した場合のコンタクトガラスの上面でのＸ方向の照度分布を示す図である。
【図７Ｂ】比較のための照射装置により照射した場合のコンタクトガラスの上方５ｍｍでのＸ方向の照度分布を示す図である。
【図７Ｃ】比較のための照射装置により照射した場合のコンタクトガラスの上方１０ｍｍでのＸ方向の照度分布を示す図である。
【図８】読取領域及びその上方での照度の変化を示す図である。
【図９】変形例１に係る照射装置の導光体とその近傍を長手方向から見た断面図である。
【図１０】変形例２に係る照射装置の導光体とその近傍を長手方向から見た断面図である。
【図１１】変形例３に係る照射装置の導光体を長手方向から見た断面図である。
【図１２】変形例４に係る照射装置の導光体を長手方向から見た断面図である。
【図１３】実施の形態２に係る導光体の端部近傍とホルダとの構成を示す分解斜視図である。
【図１４】実施の形態２に係る導光体の端部近傍及びホルダの断面図であり、導光体の長手方向に沿ったものである。
【発明を実施するための形態】
【００１４】
以下、本発明の実施の形態について、図面を参照しつつ説明する。全図を通じて同一の要素には同一の符号を付す。また、同一の要素に関して重複する説明は省略する。なお、画像読取装置を構成する部材の寸法比は適宜変更されてよく、各図に示すものに限られない。
【００１５】
実施の形態１．
本発明の実施の形態１に係る画像読取装置１００は、図１にその分解斜視図を示すように、コンタクトガラス１０３に載置された原稿１０４原稿の一面（読取面）に表された文字、図形、記号などの情報を読み取り、読み取った情報を含む画像データを出力する装置である。なお、原稿１０４は画像読取装置１００に情報を読み取らせる対象となる物の一例である。
【００１６】
画像読取装置１００は、同図に示すように、照射装置１０１と読取装置１０２とを備える。
【００１７】
照射装置１０１は、ライン状の読取領域１０５に２方向から光を照射する装置である。なお、読取領域１０５は、照射装置１０１を用いて最適な照度及び照度分布で光を照射することができる領域として適宜定められてよい。
【００１８】
照射装置１０１は、同図に示すように、導光体１１０と第１のリフレクタ１１１と第２のリフレクタ１１２と２つの光源部１１３と２つのホルダ１１４と平面鏡１１５とを備える。
【００１９】
導光体１１０は、例えばアクリルやシクロオレフィン系の透明樹脂、ガラスなどの材料で作られた透明な棒状の部材である。導光体１１０の長手方向は照射装置１０１の長手方向（以下、「Ｙ方向」という。）を規定する。導光体１１０をＹ方向から見た断面（以下、「導光体１１０の断面」という。）は概ね円形であり、詳細には例えば、照射装置１０１をＹ方向から見た断面図である図２に示すように円形の一部を切り欠いた形状をなす。
【００２０】
導光体１１０は、例えば図２に示すように、その外面に、第１のプリズム群１２１と第１の出射部１２２と第２のプリズム群１２３と第２の出射部１２４とを備える。
【００２１】
第１のプリズム群１２１は多数の微小なプリズムを備え、導光体１１０のＹ方向に延びる外面（外側面）を形成する。
【００２２】
図３は、図２のＩ−Ｉ線での、すなわち第１のプリズム群１２１のＹ方向に垂直な幅方向の中心と導光体１１０の中心軸（以下、単に「軸」という。）１２６とを含む平面での断面を矢示方向から見た断面図を示す。図３の破線丸囲みの領域１２８を拡大して図４に示すように、第１のプリズム群１２１の各プリズム１３２は例えば、Ｙ方向に帯状に延びる平面をなす領域（第１のプリズム領域）１３１から導光体１１０の断面の径方向に突き出す山型をなし、不均一なピッチで千数百〜数千本Ｙ方向に並ぶ。第１のプリズム群１２１の各プリズム１３２の幅は例えば約１００μｍである。
【００２３】
第１のプリズム群１２１の各プリズム１３２の稜線１３４は例えば、Ｙ方向に垂直な面と平行に設けられており、第１のプリズム領域１３１と平行である。
【００２４】
第１の出射部１２２は、図２及び図３に示すように、導光体１１０の外面のＹ方向に帯状に延びる部分であって、導光体１１０の軸１２６を挟んで概ね第１のプリズム群１２１に対向する位置に設けられる。第１の出射部１２２は、導光体１１０の軸１２６に平行な平面を形成する平面部１３６を有する。第１の出射部１２２は、さらに、図２に示すように長手方向から見た場合に、平面部１３６の両端に接続する導光体１１０の概形をなす円周の一部（円周部）１３７を含む。
【００２５】
なお、第１の出射部１２２は、平面部１３６に代えて、導光体１１０の断面の概形となる円の半径をＲ［ｍ］とした場合に、曲率が１／Ｒよりも小さい曲面を形成する曲面部を備えてもよい。また、第１の出射部１２２は円周部１３７を含まなくてもよい。
【００２６】
第２のプリズム群１２３は多数の微小なプリズムを備え、導光体１１０の外側面を形成する。図１に示すように、第２のプリズム群１２３は、導光体１１０の外側面において第１のプリズム群１２１と第１の出射部１２２との間に設けられる。詳細には例えば、第２のプリズム群１２３は、図２に示すようにＹ方向から見た場合に、導光体１１０の外側面の概形をなす円を第１のプリズム群１２１と第１の出射部１２２との中間を通る直径で分けた２つの半円のうち、第１のプリズム群１２１が設けられている側の半円内に設けられる。
【００２７】
図５は、図２のII−II線での、すなわち第２のプリズム群１２３のＹ方向に垂直な幅方向の中心と導光体１１０の軸１２６とを含む平面での断面を矢示方向から見た断面図を示す。第２のプリズム群１２３は例えば、第１のプリズム群１２１と同様に、Ｙ方向に帯状に延びる平面をなす領域（第２のプリズム領域）から導光体１１０の断面の径方向に突き出す山型をなし、不均一なピッチで千数百〜数千本Ｙ方向に並ぶ（図４参照）。第２のプリズム群１２３の各プリズム１３２の幅は例えば約１００μｍである。
【００２８】
第２のプリズム群１２３の各プリズム１３２の稜線１３４は例えば、第１のプリズム群１２１を構成するものと同様に、Ｙ方向に垂直な面と平行に設けられており、第２のプリズム領域と平行である。
【００２９】
第２の出射部１２４は、図２及び図５に示すように、導光体１１０の外面でＹ方向に帯状に延びる部分であって、導光体１１０の軸１２６を挟んで概ね第２のプリズム群１２３に対向する位置に形成される。第２の出射部１２４は、長手方向から見た場合に、導光体１１０の概形を形成する円の一部をなす。すなわち、導光体１１０の断面の概形となる円の半径をＲ［ｍ］とした場合、第２の出射部１２４の曲率は１／Ｒである。
【００３０】
第１のリフレクタ１１１は、図１に示すようにＹ方向に延びる帯状の部材であって、例えば白色のポリカーボネート等の樹脂で作られる。
【００３１】
第１のリフレクタ１１１は、その一面に光を反射する面（第１の反射面）１４１を有する。第１の反射面１４１は、原稿１０４の読取面での照度を向上させるために、例えば９０％以上の高い反射率であることが望ましく、そのため梨地面（ざらつきのある面）又は鏡面である。なお、第１のリフレクタ１１１は例えば金属板金のような構造部材に白色テープを貼ったものであってもよい。
【００３２】
第１の反射面１４１は、第１のリフレクタ１１１の形状に応じてＹ方向に延びる帯状をなしており、図２及び図３に示すように第１のプリズム群１２１に所定の距離だけ離間して対置される。第１の反射面１４１は第１のプリズム群１２１より広く、第１のプリズム群１２１の全体を覆うように配置される。本実施の形態では、第１のプリズム群１２１と第１のリフレクタ（反射部）１１１とにより第１の拡散反射部が構成される。
【００３３】
第２のリフレクタ１１２は、図１に示すようにＹ方向に延びる帯状の部材であって、例えば白色のポリカーボネート等の樹脂で作られる。
【００３４】
第２のリフレクタ１１２は、その一面に光を反射する梨地面又は鏡面（第２の反射面）１４３を有する。第２の反射面１４３は、原稿１０４の読取面での照度を向上させるために、例えば９０％以上の高い反射率であることが望ましく、そのため梨地面又は鏡面である。なお、第２のリフレクタ１１２は例えば金属板金のような構造部材に白色テープを貼ったものであってもよい。
【００３５】
第２の反射面１４３は、第２のリフレクタ１１２の形状に応じてＹ方向に延びる帯状をなしており、図２及び図５に示すように第２のプリズム群１２３に所定の距離だけ離間して対置される。第２の反射面１４３は第２のプリズム群１２３より広く、第２のプリズム群１２３の全体を覆うように配置される。本実施の形態では、第２のプリズム群１２３と第２のリフレクタ（反射部）１１２とにより第２の拡散反射部が構成される。
【００３６】
各光源部１１３は、例えば図１に示すように、光源であるＬＥＤ（Ｌｉｇｈｔ  Ｅｍｉｔｔｉｎｇ  Ｄｉｏｄｅ）１５１と、一方の面にＬＥＤ１５１が設けられた基板１５２とを備える。基板１５２はアルミニウム等の金属、ガラスエポキシ、ポリイミド等の樹脂、セラミック等を材料として作られている。基板１５２は、コネクタを介して電源ケーブルが接続されており（図示せず）、それによって、ＬＥＤ１５１を点灯されるための電力が供給される。
【００３７】
各ホルダ１１４は、例えば図１に示すように、導光体１１０と光源部１１３とを保持する部材である。各ホルダ１１４は、光源部１１３を取り付ける光源取付部１６１と、導光体１１０の端部が嵌合する嵌合部１６２とを備える。光源取付部１６１に光源部１１３が取り付けられると、ＬＥＤ１５１はホルダ１１４内の光源空間１６５に配置される（図３，図５参照）。
【００３８】
嵌合部１６２は、Ｙ方向から見た場合に、導光体１１０の断面の概形をなす円より僅かに大きいか、それと同程度の大きさの概ね円形をなす孔を形成する。嵌合部１６２が形成する孔は光源空間１６５と連通する。なお、第１の出射部１２２の平面部１３６又は曲面部が導光体１１０の端面１６８まで延びて設けられる場合には、嵌合部１６２は、導光体１１０の端部が嵌合した場合に第１の出射部１２２が当接する当接部（第１の当接部）を有する。
【００３９】
このような構成を備えることによって、光源部１１３と導光体１１０とがホルダ１１４に保持された場合、ＬＥＤ１５１と導光体１１０の端面１６８とは対置され、導光体１１０の端部はホルダ１１４で覆われる。この場合、ＬＥＤ１５１と導光体１１０の端面１６８とは近接していることが望ましい。
【００４０】
各ホルダ１１４は、例えばＬＥＤ１５１が発する光を拡散反射するために、白色のポリカーボネート等の樹脂から成り、光源空間１６５を形成する面及び嵌合部１６２の孔を形成する面は、原稿１０４の読取面での照度を向上させるために高い反射率を有することが望ましく、例えば梨地面又は鏡面である。
【００４１】
各ホルダ１１４には、例えば図１に示すように、ＬＥＤ１５１が発光している間の温度上昇を抑えるために、光源部１１３の背面、すなわち基板１５２のＬＥＤ１５１が設けられていない方の面にヒートシンク１６９が設けられる。
【００４２】
平面鏡１１５は、図１に示すように、Ｙ方向に帯状に延びる平らな鏡面を有する。平面鏡１１５は例えば、研磨されたガラス基材の一面にアルミニウム等の金属を蒸着して平らな鏡面を形成すること、アルミニウム等の金属製の部材の一面を研磨して平らな鏡面を形成することなどによって製造される。平面鏡１１５の鏡面は原稿１０４の読取面での照度を向上させるために高い反射率であることが望ましく、そのため例えば増反射コートが施されていてもよい。
【００４３】
平面鏡１１５は、図２に示すように、第２のプリズム群１２３から第２の出射部１２４を臨む方向に配置される。なお、照射装置１０１の短手方向（以下、「Ｘ方向」という。）は、Ｙ方向から見て、導光体１１０の軸１２６と平面鏡１１５の鏡面上の点（典型的には、平面鏡１１５の鏡面の中心）１７０とを結ぶ線の方向により規定される。
【００４４】
平面鏡１１５の鏡面は第２の出射部１２４の方向を向き、望ましくは副光Ｌｓが通過する全域に広がり、これによって、第２の出射部１２４から出射される副光Ｌｓのほぼ全体を反射する。平面鏡１１５の鏡面は、反射した副光Ｌｓと第１の出射部１２２から出射される主光Ｌｍとが重なり合う方向を向けて配置される。主光Ｌｍと副光Ｌｓとが重なり合う領域が読取領域１０５となる。
【００４５】
読取領域１０５は、導光体１１０の軸１２６と平面鏡１１５の鏡面上のＹ方向に延びる線（典型的には、平面鏡１１５の鏡面のＹ方向に延びる中心線）１７０とに等距離でＸ方向に垂直な平面に形成されることが望ましい。
【００４６】
読取装置１０２は、照射装置１０１から照射された光が読取面で反射した光（反射光）を受けて画像データを出力する装置である。読取装置１０２は、図１に示すように、複数の読取系ミラー１７５と、光学レンズ１７６と、イメージセンサ１７７とを備える。
【００４７】
各読取系ミラー１７５は例えば、Ｙ方向に延びる帯状の平面の鏡面を有する。複数の読取系ミラー１７５の少なくとも１つの鏡面は、反射光が進む反射経路１８０（図２参照）に配置される。そして、複数の読取系ミラー１７５は反射光を光学レンズ１７６へ導く。光学レンズ１７６は複数の読取系ミラー１７５により導かれた光を集光してイメージセンサ１７７へ導く。イメージセンサ１７７は、ＣＣＤ（Ｃｈａｒｇｅ  Ｃｏｕｐｌｅｄ  Ｄｅｖｉｃｅ）イメージセンサ、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサなどから構成され、受けた光を電気信号（画像データ）に変換して出力する。
【００４８】
ここまで、画像読取装置１００の構成について説明した。ここから画像読取装置１００が画像データを生成する過程について、図を参照して説明する。
【００４９】
ここで説明のために、各方向を詳細に定義する。Ｘ方向及びＹ方向は水平な方向であるとする。そのＸ方向とＹ方向とに垂直な方向、すなわち高さ方向はＺ方向とする。そして、導光体１１０の軸１２６から平面鏡１１５の中心線１７０へ向かう方向はＸの正方向（例えば図１に示す短手方向Ｘの矢示方向）とし、その逆方向はＸの負方向とする。Ｘの正方向を左に向けた場合の奥行き方向はＹの正方向（例えば図１に示す長手方向Ｙの矢示方向）とし、その逆方向はＹの負方向とする。高さの上方向（例えば図１に示す高さ方向Ｚの矢示方向）はＺの正方向とし、その逆方向はＺの負方向とする。なお、これらの方向は説明のために用いるものであって、本願に係る発明を限定する趣旨ではない。
【００５０】
原稿１０４は、例えば図２に示すように、読取面を下方に向けてコンタクトガラス１０３に載置される。各ＬＥＤ１５１には基板１５２を介して電力が供給され、それによって、各ＬＥＤ１５１は光を発する。各ＬＥＤ１５１が発した光は、導光体１１０の端面１６８から導光体１１０の内部へ入射する。
【００５１】
本実施の形態では、ホルダ１１４の光源空間１６５を形成する面は高い反射率を有する。そのため、各ＬＥＤ１５１が発した光は、導光体１１０の端面１６８を介して内部へ直接的に入射するだけでなく、ホルダ１１４の光源空間１６５を形成する面で反射した光も入射する。また、ホルダ１１４の嵌合部１６２は高い反射率を有する面で導光体１１０の端部を覆うため、導光体１１０の端部の外面から光が漏れ出すことを防ぐことができる。したがって、ＬＥＤ１５１が発した光の利用効率を向上させることが可能になる。
【００５２】
導光体１１０の内部へ入射した光は、後述するように第１のプリズム群１２１及び第２のプリズム群１２３に当たらなければ、導光体１１０の内側面でほぼ全反射しながら伝搬光Ｌｐとして導光体１１０の内部を概ねＹの正方向及び負方向に伝搬する。図３及び図５は導光体１１０の手前側の端部の近傍における伝搬光Ｌｐを示しており、両図に示す伝搬光ＬｐはＹの正方向に伝搬している。
【００５３】
伝搬光Ｌｐの一部は、図３に示すように、第１のプリズム群１２１と第１のリフレクタ１１１とで拡散し反射する。詳細には、伝搬光Ｌｐの一部は、第１のプリズム群１２１で反射する。また、第１のプリズム群１２１を透過した光の一部は第１のリフレクタ１１１で拡散し反射し、第１のプリズム群１２１を介して導光体１１０の内部へ再入射する。
【００５４】
第１のプリズム群１２１と第１のリフレクタ１１１とにより拡散し反射した光は、図２に示すように、導光体１１０の軸１２６を挟んで概ね第１のプリズム群１２１に対向する第１の出射部１２２から主光Ｌｍとして出射される。主光Ｌｍの少なくとも一部は、同図に示すように、コンタクトガラス１０３を介して読取領域１０５へ右斜め下方から進む。
【００５５】
また、伝搬光Ｌｐの一部は、図５に示すように、第２のプリズム群１２３と第２のリフレクタ１１２とで拡散し反射する。詳細には、伝搬光Ｌｐの一部は、第２のプリズム群１２３で反射し、第２のプリズム群１２３を透過した光の一部は第２のリフレクタ１１２で拡散し反射して第２のプリズム群１２３を介して導光体１１０の内部へ再入射する。
【００５６】
第２のプリズム群１２３と第２のリフレクタ１１２とにより拡散し反射した光は、導光体１１０の軸１２６を挟んで概ね第２のプリズム群１２３に対向する第２の出射部１２４から副光Ｌｓとして出射される。
【００５７】
平面鏡１１５は第２のプリズム群１１２から第２の出射部１２４を臨む方向に配置されているため、副光Ｌｓは、図２に示すように、平面鏡１１５によって反射される。副光Ｌｓの少なくとも一部は、同図に示すように、コンタクトガラス１０３を介して読取領域１０５へ左斜め下方から進む。
【００５８】
このように読取領域１０５では、右斜め下方から進んできた主光Ｌｍと左斜め下方から進んできた副光Ｌｓとが重なり合う。
【００５９】
第１の出射部１２２は平面部１３６を有するのに対して、第２の出射部１２４は円周部で形成される。主光Ｌｍは副光Ｌｓよりも広い発散角を有する。
【００６０】
また、副光Ｌｓは主光Ｌｍとは異なり、読取領域１０５へ至るまでに平面鏡１１５を介する。そのため、第２の出射部１２４から読取領域１０５へ至る副光Ｌｓの経路は、第１の出射部１２２から読取領域１０５へ至る主光Ｌｍの経路よりも長い。
【００６１】
主光Ｌｍと副光Ｌｓとで発散角及び経路がこのように異なることによって、所定値以上の照度となる主光Ｌｍと副光ＬｓとのＸ方向の幅は、Ｚ方向の位置にかかわらず同程度になる。
【００６２】
この点、異なるＺ方向の位置におけるＸ方向の照度分布を示す図を参照して詳細に説明する。なお、コンタクトガラス１０３の上面をＺ方向の位置の基準（０ｍｍ）とし、読取領域１０５をＸ方向の位置の基準（０ｍｍ）とする。
【００６３】
図６Ａは、本実施の形態に係る照射装置１０１による場合のコンタクトガラス１０３の上面（Ｚ＝０ｍｍ）でのＸ方向の照度分布を示す図である。図６Ｂは、本実施の形態に係る照射装置１０１による場合のコンタクトガラス１０３の上方５ｍｍ（Ｚ＝５ｍｍ）でのＸ方向の照度分布を示す図である。図６Ｃは、本実施の形態に係る照射装置１０１による場合のコンタクトガラス１０３の上方１０ｍｍ（Ｚ＝１０ｍｍ）でのＸ方向の照度分布を示す図である。
【００６４】
図６Ａ〜図６Ｃを参照すると、所定値以上の照度となる主光Ｌｍと副光ＬｓとのＸ方向の幅は、Ｚ方向の位置にかかわらず同程度になっている。このため、Ｚ方向の位置が変化しても、主光Ｌｍによる照度分布と副光Ｌｓによる照度分布とを足し合わせた合成照度分布（図中の主光＋副光）は、Ｘ＝０の軸を中心におよそ左右対称となっており、その照度がピークとなるＸ方向の位置は大きく移動しない。
【００６５】
また、主光Ｌｍと副光Ｌｓとはいずれも拡散光であるので、Ｚ方向の位置が０ｍｍから５ｍｍ、１０ｍｍへと変化するにつれて、それぞれのＸ方向の幅が広がると同時に、主光Ｌｍと副光Ｌｓとが重なり合う領域（図２に示す有効照射領域１８２）のＸ方向の幅も次第に大きくなる。そのため、Ｚ方向の位置が変化しても、主光Ｌｍと副光Ｌｓとを足し合わせた照度はあまり変化しない。
【００６６】
これに対する比較例として、図７Ａ〜図７Ｃはそれぞれ、本実施の形態に係る照射装置１０１の第１の出射部１２２に代えて、円周部のみからなる、つまり曲率が第２の出射部１２４と同じ１／Ｒである第１の出射部を備えた照射装置（比較のための照射装置）によって照射した場合のＺ＝０ｍｍ、５ｍｍ、１０ｍｍでのＸ方向の照度分布を示す。
【００６７】
図７Ａ〜図７Ｃを参照すると、所定値以上の照度となる主光Ｌｍと副光ＬｓとのＸ方向の幅は主光Ｌｍの方が副光Ｌｓよりも狭く、ピークの照度は主光Ｌｍの方が副光Ｌｓよりも高い。このため、Ｚ方向の位置が０ｍｍから５ｍｍ、１０ｍｍへと変化するにつれて、主光Ｌｍの照度分布がピークとなるＸ方向の位置が移動し、それに従って、合成照度分布がピークとなるＸ方向の位置は大きく移動する。
【００６８】
このように、本実施の形態に係る照射装置１０１によれば、読取領域１０５及びその上方には主光Ｌｍと副光Ｌｓとが右と左とで異なる斜め下方から進んでくるだけでなく、所定値以上の照度となる主光Ｌｍと副光ＬｓとのＸ方向の幅がＺ方向の位置にかかわらず同程度になる。また、Ｚの正方向へ移動するにつれて、主光Ｌｍと副光Ｌｓとが重なり合う有効照射領域１８２のＸ方向の幅は次第に大きくなる。
【００６９】
これらによって、原稿１０４の読取面の位置が読取領域１０５からＺ方向に変化した場合であっても照度の変化を低減させること、すなわち照明深度を深くすることが可能になる。
【００７０】
ここで、図８は、本実施の形態に係る照射装置１０１と比較のための照射装置とのそれぞれについて、読取領域１０５（Ｘ＝０ｍｍ、かつ、Ｚ＝０ｍｍ）及びその上方（Ｚの正方向）での照度の変化を示す図である。同図では、照射装置１０１と比較のための照射装置とのいずれについてもＺ＝０ｍｍでの照度を１として規格化している。同図から分かるように、Ｚ方向の位置の変化に対する照度の変化は、本実施の形態に係る照射装置１０１による場合の方が比較のための照射装置による場合よりも小さい。
【００７１】
その結果、例えば書籍の開き目などのように、コンタクトガラス１０３上に設定された読取領域１０５から読取面が離間してしまうような場合であっても、適切に原稿１０４の読取面を照射することが可能になる。
【００７２】
また、本実施の形態に係る照射装置１０１では、Ｙ方向から見た鏡面の形状が楕円や放物線なす鏡（トロイダルミラー）ではなく、その形状が直線をなす平面鏡１１５を用いている。照射装置１０１を組み立てる場合、Ｙ方向から見た鏡面の形状が楕円や放物線の鏡であれば鏡面の姿勢を決める６個の自由度すべてに高い精度が必要となるが、平面鏡１１５であれば鏡面に沿った２方向、鏡面内の回転の少なくとも３個の自由度は高い精度を必要としない。したがって、照射装置１０１を容易に組み立てることが可能になる。
【００７３】
平面鏡１１５は、その製造がトロイダルミラーより容易であるため安価であり、その結果、照射装置１０１を安価にすることが可能になる。鏡面の形状の測定も容易であるため、照射装置１０１の品質管理も容易にすることが可能になる。
【００７４】
第１の出射部１２２が平面部を有する場合、円筒状の部材の一部をＹ方向にカットした形状であるため、ポリカーボネートやシクロオレフィン系の樹脂で射出成形して導光体１１０を製作することができ、この場合、ヒケが発生しにくく、必要とする形状精度を容易に達成することが可能になる。また、導光体１１０の断面の形状は主に円弧と直線からなるため、形状の測定が容易で品質管理も容易にすることが可能になる。
【００７５】
ホルダ１１４に嵌合部１６２よりも光源空間１６５を狭くする段差部を設け、導光体１１０の端面１６８を段差部に押し当てることで、ホルダ１１４に対して導光体１１０を位置決めして嵌め合わせることができる。また、嵌合部１６２は、第１の出射部１２２が当接する第１の当接部を有する場合、それらは平面又は導光体１１０の断面の概形をなす円とは異なる曲率の曲面を有することになる。この場合には、導光体１１０の軸１２６を中心とする回転方向の位置決めも容易になる。したがって、これらによっても照射装置１０１の組み立てを容易にすることが可能になる。
【００７６】
さらに、第１のプリズム群１２１及び第２のプリズム群１２３を構成するプリズム１３２は不均一なピッチで数百〜数千本Ｙ方向に並んでおり、これによって、読取領域１０５におけるＹ方向の照度分布を目標とする分布、例えばＣＯＳ−４乗型の分布にすることが可能になる。
【００７７】
さらに、高い反射率を有する第１のリフレクタ１１１を備えることによって第１のプリズム群１２１を透過した光を導光体１１０の内部へ再入射させることができるので、第１のプリズム群１２１に当たった光の多くを第１の出射部１２２から出射させることができる。これによって、原稿１０４の読取面における照度を向上させることが可能になる。
【００７８】
第２のリフレクタ１１２についても同様である。すなわち、高い反射率を有する第２のリフレクタ１１２を備えることによって、第２のプリズム群１２３に当たった光の多くを第２の出射部１２４から出射させることができるので、原稿１０４の読取面における照度を向上させることが可能になる。
【００７９】
主光Ｌｍと副光Ｌｓとはそれぞれ、図２に示すように右斜め下方と左斜め下方とから、読取領域１０５又はその上方に配置された原稿１０４の読取面を照射する。主光Ｌｍと副光Ｌｓとは原稿１０４の読取面で反射し、拡散する。反射光は読取面の情報に応じて反射し拡散するため、読取面の情報を含んだものとなる。反射光は、読取装置１０２の読取系鏡群１７５と光学レンズ１７６とを介して結像されてイメージセンサ１７７により受光される。イメージセンサ１７７は、受光した光の強度に応じた電気信号を出力する。この電気信号は、照射装置１０１によって主光Ｌｍと副光Ｌｓとが照射された部分の読取面の情報を含む画像データである。
【００８０】
このようにして、読取装置１０２は画像データを出力する。照射装置１０１は例えば、図示しない駆動装置によってＸ方向に移動しながら原稿１０４の読取面の所定の領域を照射する。なお、照射装置１０１が移動する代わりに、原稿１０４が駆動装置によってＸ方向に搬送されてもよく、これによっても照射装置１０１は読取面の所定の領域を照射することができる。
【００８１】
読取装置１０２は、照射された部分に対応する画像データを順次出力する。順次出力される画像データはメモリに記憶され、これによって、原稿１０４の読取面の所定の領域に表された情報を含む画像データが生成される。ここで、順次出力される画像データを記憶するメモリは、読取装置１０２が備えてもよいし、読取装置１０２が接続される装置が備えてもよい。
【００８２】
上述のようにコンタクトガラス１０３上に設定された読取領域１０５から読取面が離間してしまうような場合であっても、良好に原稿１０４の読取面を照射することが可能になる。そのため、本実施の形態に係る画像読取装置１００によれば、このような場合であっても濃淡の変化を少なくした良好な画像データを出力することが可能になる。
【００８３】
以上、本発明の実施の形態１について説明したが、本実施の形態はこれに限られない。
【００８４】
実施の形態１では、導光体１１０の断面が概ね円形をなす、すなわち、導光体１１０の断面において第１のプリズム群１２１と第２のプリズム群１２３と第１の出射部１２２が有する平面部１３６とを円形から切り欠いた形状をなす例により説明した。しかし、導光体１１０の断面は円形に限られない。
【００８５】
導光体１１０の断面は例えば楕円形であってもよい。この場合、照射装置１０１を組み立てる際にその導光体１１０の軸１２６を中心とした回転方向を適宜設定することによって、少なくとも一部において第２の出射部１２４よりも曲率が小さい第１の出射部１２２を実現することができる。もちろん、第１の出射部１２２には実施の形態１と同様に平面又は第２の出射部１２４よりも少なくとも一部において曲率が小さい曲面部が、例えば断面が楕円をなす棒状の部材を加工して、設けられてもよい。
【００８６】
実施の形態１ではホルダ１１４の両方が光源部１１３を保持することとしたが、ホルダ１１４の一方は、光源部１１３を保持せずに導光体１１０の端部のみを保持してもよい。
【００８７】
実施の形態１では第１のプリズム群１２１と第２のプリズム群１２３とでそれぞれを構成するプリズム１３２の本数を同程度とした。しかし、第２のプリズム群１２３のプリズム１３２の本数は第１のプリズム群１２１の本数より多い方が望ましい。
【００８８】
実施の形態１で説明したように、副光Ｌｓは平面鏡１１５で反射されて読取領域１０５に至り、主光Ｌｍは鏡を介することなく読取領域１０５に至る。そのため、平面鏡１１５の反射率によっては、読取領域１０５において副光Ｌｓの照度は主光Ｌｍの照度よりも低くなることがある。
【００８９】
そこで、上述のように、第２のプリズム群１２３のプリズム１３２の本数を第１のプリズム群１２１の本数より多くすることで、平面鏡１１５の反射率による影響を軽減し、読取領域１０５において主光Ｌｍの照度と副光Ｌｓの照度とを同程度にすることが可能になる。その結果、照明深度をさらに深くすることが可能になる。例えば平面鏡１１５の反射率が９５％である場合、第２のプリズム群１２３のプリズム１３２の本数を第１のプリズム群１２１の本数より５％多くするとよい。
【００９０】
実施の形態１では第１のリフレクタ１１１と第２のリフレクタ１１２とが別部材で設けられる例により説明したが、第１のプリズム群１２１と第２のプリズム群１２３を透過した光を反射するリフレクタの構成はこれに限られない。例えば変形例１に係る照射装置は、実施の形態１に係る照射装置１０１が備える第１のリフレクタ１１１と第２のリフレクタ１１２とに代えて、図９に示すように第１のプリズム群１２１と第２のプリズム群１２３との両方を覆う一体の部材で構成されるリフレクタ１８３を反射部として備える。
【００９１】
一体のリフレクタ１８３を採用することによって、照射装置の組み立ての工数を減らすことができるので、照射装置をより容易に組み立てることが可能になる。また、リフレクタ１８３が例えば白色のポリカーボネート等の樹脂で作られる場合、リフレクタ１８３を一体の部材とすることによって成形費用が抑えられるため、照射装置をより安価にすることが可能になる。
【００９２】
実施の形態１では、第１の拡散反射部が、第１のプリズム群１２１と第１のリフレクタ１１１とで構成され、第２の拡散反射部が第２のプリズム群１２３と第２のリフレクタ１１２とで構成されることとした。しかし、第１の拡散反射部又は第２の拡散反射部の構成はこれに限られない。
【００９３】
例えば、第１のプリズム群１２１又は第２のプリズム群１２３を構成するプリズム１３２の形状によっては、第１のプリズム群１２１又は第２のプリズム群１２３のそれぞれに当たった光の多くが透過せずに反射することがある。このような場合には、第１のリフレクタ１１１又は第２のリフレクタ１１２は設けられなくてもよく、これによって、実施の形態１と同様の効果を奏することが可能になるだけでなく、照射装置の組み立てをさらに容易にすることが可能になる。また、照射装置を安価にすることが可能になる。
【００９４】
また例えば、第１の拡散反射部は、図１０に示す変形例２に係る照射装置のように第１のリフレクタ１１１とともに、又は図１１に示す変形例３に係る照射装置のように第１のリフレクタ１１１に代えて（図１１参照）、導光体１１０の外面に長手方向に設けられた反射散乱物質を含む第１の反射散乱物質層１８４を備えてもよい。例えば第１の反射散乱物質層１８４は、第１のプリズム群１２１の外面の全体に、又は、第１のプリズム群１２１を構成するプリズム１３２と同様に不均一なピッチでＹ方向に並ぶ島状に第１のプリズム群１２１の外面に設けられるとよい。第１の反射散乱物質層１８４は例えば、反射散乱物質を含む材料を塗布することで設けることができる。ここで、反射散乱物質は光を反射し散乱させる物質であって、例えば白色の物質である。
【００９５】
これによっても、第１のプリズム群１２１に当たった伝搬光Ｌｐを第１の出射部１２２から出射させることができる。したがって、実施の形態１と同様の効果を奏することが可能になる。
【００９６】
第２の拡散反射部が、図１０に示す変形例２に係る照射装置のように第２のリフレクタ１１２とともに、又は図１１に示す変形例３に係る照射装置のように第２のリフレクタ１１２に代えて、上述の第１の拡散反射部１８４と同様に導光体１１０の外面に長手方向に設けられた反射散乱物質を含む反射散乱物質層１８５を備えてもよい。これによっても、第２のプリズム群１２３に当たった伝搬光Ｌｐを第２の出射部１２４から出射させることができる。したがって、実施の形態１と同様の効果を奏することが可能になる。
【００９７】
第１のプリズム群１２１と第２のプリズム群１２３と両方が反射散乱物質層を備える場合、第２の拡散反射部が備える反射散乱物質層に含まれる反射散乱物質の量は、第１の拡散反射部が備える反射散乱物質層に含まれる反射散乱物質の量よりも多くてもよい。反射散乱物質の量の調整には、第１の拡散反射部と第２の拡散反射部とで反射散乱物質層のＹ方向のピッチ、幅などを異なるものにするなどの方法がある。
【００９８】
これによって、第２のプリズム群１２３のプリズム１３２の本数を第１のプリズム群１２１の本数より多くするのと同様に、平面鏡１１５の反射率による影響を軽減し、読取領域１０５において主光Ｌｍの照度と副光Ｌｓの照度とを同程度にすることが可能になる。その結果、照明深度を深くすることが可能になる。
【００９９】
さらに例えば、図１２に示す変形例４に係る照射装置のように第１の拡散反射部は、第１のプリズム群１２１及び第１リフレクタ１１１に代えて、導光体１１０の外側面に長手方向に設けられた反射散乱物質を含む第１の反射散乱物質層１８４で構成されてもよい。同様に、第２の拡散反射部は、第２のプリズム群１２３及び第２のリフレクタ１１２に代えて、第２の反射散乱物質層１８５で構成されてもよい。第１の反射散乱物質層１８４又は第２の反射散乱物質層１８５は例えば、反射散乱物質を含む材料を導光体１１０の外側面に塗布することで設けられるとよい。反射散乱物質は上述のように光を反射し散乱させる物質であって、例えば白色の物質である。
【０１００】
これによっても、第１の拡散反射部に当たった伝搬光Ｌｐを第１の出射部１２２から出射させることができる。また、第２の拡散反射部に当たった伝搬光Ｌｐを第２の出射部１２４から出射させることができる。したがって、実施の形態１と同様の効果を奏することが可能になる。
【０１０１】
この場合、反射散乱物質層は、第１のプリズム群１２１又は第２のプリズム群１２３を構成するプリズム１３２と同様に、不均一なピッチでＹ方向に並ぶ島状に設けられることが望ましい。これによって、読取領域１０５におけるＹ方向の照度分布を目標とする分布、例えばＣＯＳ−４乗型の分布にすることが可能になる。
【０１０２】
第１の拡散反射部と第２の拡散反射部と両方が反射散乱物質層で構成される場合、第２の拡散反射部を構成する反射散乱物質層に含まれる反射散乱物質の量は、第１の拡散反射部のそれよりも多い方が望ましい。反射散乱物質の量の調整には、第１の拡散反射部と第２の拡散反射部とで反射散乱物質層を構成する島のＹ方向のピッチ、幅などを異なるものにするなどの方法がある。
【０１０３】
これによって、第２のプリズム群１２３のプリズム１３２の本数を第１のプリズム群１２１の本数より多くするのと同様に、平面鏡１１５の反射率による影響を軽減し、例えばコンタクトガラス１０３の上面において副光Ｌｓの照度と主光Ｌｍの照度とを同程度にすることが可能になる。その結果、照明深度を深くすることが可能になる。
【０１０４】
実施の形態２．
本実施の形態では導光体とホルダとが、実施の形態１に係る導光体１１０とホルダ１１４とは異なる。本実施の形態に係る導光体２１０の端部は、図１３に示すように、切欠部２８５を備える。切欠部２８５は、導光体２１０の端面１６８からＹ方向に延びる平面を形成する。切欠部２８５は、第１の出射部１２２と異なる部分に設けられる。切欠部２８５のＹ方向の長さは、導光体２１０がホルダ２１４の嵌合部２６２と嵌合する長さと同じかそれよりも僅かに長い。
【０１０５】
ホルダ２１４は、実施の形態１に係るホルダ１１４と概ね同様の構成を備えており、ホルダ２１４の嵌合部２６２が形成する孔の形状が実施の形態１に係るホルダ１１４の孔と異なる。嵌合部２６２は、Ｙ方向から見た場合に、導光体２１０の断面の概形をなす円より僅かに大きいか、それと同程度の概ね円形をなす孔を形成する。嵌合部２６２は、導光体２１０の端部が嵌合した場合に第１の出射部１２２が当接する実施の形態１と同様の第１の当接部２８６に加えて、導光体２１０の端部が嵌合した場合に切欠部２８５が当接する第２の当接部２８７を備える。
【０１０６】
ホルダ２１４はさらに、図１３に示すように、付勢部２９１を備える。付勢部２９１は、導光体１１０の端部が嵌合した場合に第１の出射部１２２を第１の当接部２８６へ押圧するとともに切欠部２８５を第２の当接部２８７へ押圧する方向へ導光体２１０の端部の外側面を付勢する。
【０１０７】
詳細には例えば、付勢部２９１は、樹脂製のピン２９２と、嵌合部２６２の孔のＹ方向から見た概形を形成する円の中心へ向けてピン２９２を付勢する金属製のバネとから構成される。ピン２９２は、Ｙ方向から見た場合に、嵌合部２６２の孔のＹ方向から見た概形を形成する円の中心を介して第１の当接部２８６と反対側の位置と、その中心を介して第２の当接部２８７と反対側の位置との間（望ましくはその中間）で、第１の当接部２８６及び第２の当接部２８７を含まない側の領域に配置されるとよい。なお、付勢部２９１は、例えば射出成形などによって、ホルダ２１４と一体で設けられてもよい。
【０１０８】
これによって、１つの付勢部２９１によって、導光体１１０の端部が嵌合した場合に第１の出射部１２２を第１の当接部２８６へ押圧するとともに切欠部２８５を第２の当接部２８７へ押圧する方向へ導光体２１０の端部の外側面を付勢することが可能になる。なお、付勢部２９１は複数設けられてもよい。
【０１０９】
本実施の形態によれば、導光体２１０の端部が嵌合した場合、第１の出射部１２２及び切欠部２８５のそれぞれは第１の当接部２８６及び第２の当接部２８７に押圧される。そのため、導光体２１０のＹ方向に垂直な面内における位置が定まり、同時に導光体２１０の軸を中心とした回転方向の角度も定まる。したがって、本実施の形態に係る照射装置２０１を組み立てる場合に、導光体２１０のＹ方向に垂直な面内における位置と導光体２１０の軸１２６を中心とした回転方向の角度とを容易に決定することが可能になる。その結果、原稿１０４の読取面におけるＸ方向の照度分布において個体差の少ない照射装置２０１を安定して製造することが可能になる。
【０１１０】
また、導光体２１０がポリカーボネートやシクロオレフィン系の樹脂を射出成形して製作される場合、導光体２１０の外面のどこかにゲートが必要になる。本実施の形態では、ゲートは、図１４に点線の楕円２９６で囲んで示すように、導光体２１０の外側面のうち切欠部２８５の近傍であって、切欠部２８５から導光体２１０のＹ方向に沿って中心側の伝搬光Ｌｐが照射しない領域（遮光領域）に設けられるとよい。
【０１１１】
一般に導光体２１０の内面でほぼ全反射させて伝搬光Ｌｐを伝搬させるために、導光体２１０の内面は鏡面であることが望ましく、鏡面を崩すことになるゲートの設置箇所は注意深く決定される。例えば端面、第１のプリズム群１２１、第２のプリズム群１２３、及びＹ方向の中央付近の外側面は、読取領域１０５の照度又は照度分布に影響するため、このような領域にゲートを設けることは避けられる。
【０１１２】
例えば実施の形態１の場合、ゲートは例えば導光体１１０の外側面のうち、導光体１１０の端面１６８に近い領域（端部）に設けられることが多い。しかし、この領域はＬＥＤ１５１から端面１６８に対し平行に近い、すなわち浅い角度で入射した光が本来最初に全反射される部分である。そのため、導光体１１０の端部の外側面にゲートを設けると、特にＹ方向の両端近傍における読取領域１０５の照度又は照度分布に悪影響を及ぼすことがある。
【０１１３】
本実施の形態によれば、図１４に示すように、切欠部２８５と導光体２１０の外側面とを接続する段差を形成する接続部２９４がホルダ１１４と当接又は近接する。そのため、同図に示すように、点線の楕円２９６で囲んだ範囲に含まれる導光体２１０の外側面は、導光体２１０の端部がホルダに嵌合した場合に伝搬光Ｌｐが遮られる遮光領域となる。
【０１１４】
このように、本実施の形態では、遮光領域にゲートを設けることによって、読取領域１０５の照度又は照度分布に影響を与えることがなく、読取領域１０５の全体にわたって良好な照度及び照度分布を得ることが可能になる。
【０１１５】
以上、本発明の実施の形態及び変形例について説明したが、本発明は、実施の形態及び変形例に限定されるものではなく、例えば各実施の形態及び各変形例を適宜組み合わせた態様、またそれらと均等な技術的範囲をも含む。
【産業上の利用可能性】
【０１１６】
本発明に係る照射装置及び画像読取装置は、例えば複写機、スキャナ、紙幣や有価証券の画像を読み取ることでその真偽を識別する装置などに適用することができる。
【符号の説明】
【０１１７】
１００  画像読取装置
１０１，２０１  照射装置
１０２  読取装置
１０３  コンタクトガラス
１０４  原稿
１０５  読取領域
１１０，２１０  導光体
１１１  第１のリフレクタ
１１２  第２のリフレクタ
１１３  光源部
１１４，２１４  ホルダ
１１５  平面鏡
１２１  第１のプリズム群
１２２  第１の出射部
１２３  第２のプリズム群
１２４  第２の出射部
１３６  平面部
１３７  円周部
１５１  ＬＥＤ
１５２  基板
１６１  光源取付部
１６２，２６２  嵌合部
１８３  リフレクタ
１８４  第１の反射散乱物質層
１８５  第２の反射散乱物質層
２８５  切欠部
２８６  第１の当接部
２８７  第２の当接部
２９１  付勢部
【図１】
0005963455.tif 000002
【図２】
0005963455.tif 000003
【図３】
0005963455.tif 000004
【図４】
0005963455.tif 000005
【図５】
0005963455.tif 000006
【図６Ａ】
0005963455.tif 000007
【図６Ｂ】
0005963455.tif 000008
【図６Ｃ】
0005963455.tif 000009
【図７Ａ】
0005963455.tif 000010
【図７Ｂ】
0005963455.tif 000011
【図７Ｃ】
0005963455.tif 000012
【図８】
0005963455.tif 000013
【図９】
0005963455.tif 000014
【図１０】
0005963455.tif 000015
【図１１】
0005963455.tif 000016
【図１２】
0005963455.tif 000017
【図１３】
0005963455.tif 000018
【図１４】
0005963455.tif 000019